(57)【要約】【課題】特別な部材を必要とせず、簡単、かつ、安価に建物内の空気を循環させることのできる、複数階を有する建物内の壁構造、およびそれを備えた建物を提供する。【解決手段】複数階を有する建物内の壁構造１０であって、流路１３を構成する間隙を形成して互いに対向して配置された一対の壁板１２ａ，１２ｂを有する通気壁を備え、上下に位置するそれぞれの階に設けられた通気壁の流路１３が、床部を介して連通している。少なくとも一の階に設けられた通気壁は、一対の壁板１２ａ，１２ｂの少なくとも一方に、当該一の階の空気を流路１３から排気する、または当該一の階へ流路１３から空気を給気するために流路１３と連通する給排気口１５ａ，１５ｂ，１６ａ，１６ｂ，２０ａ〜２０ｄが形成されている。【選択図】図２
2015218440.tif 000002
【特許請求の範囲】
【請求項１】
複数階を有する建物内の壁構造であって、
流路を構成する間隙を形成して互いに対向して配置された一対の壁板を有する通気壁を備え、上下に位置するそれぞれの階に設けられた前記通気壁の前記流路が、床部を介して連通していることを特徴とする複数階を有する建物内の壁構造。
【請求項２】
請求項１に記載の複数階を有する建物内の壁構造において、
少なくとも一の階に設けられた前記通気壁は、前記一対の壁板の少なくとも一方に、当該一の階の空気を前記流路から排気する、または当該一の階へ前記流路から空気を給気するために前記流路と連通する給排気口が形成されていることを特徴とする複数階を有する建物内の壁構造。
【請求項３】
請求項２に記載の複数階を有する建物内の壁構造において、
前記通気壁の前記給排気口は、当該階の天井近傍に設けられていることを特徴とする複数階を有する建物内の壁構造。
【請求項４】
請求項１から請求項３のいずれか一項に記載の複数階を有する建物内の壁構造において、
最下層の階の前記通気壁の前記流路は、床下空間まで連通していることを特徴とする複数階を有する建物内の壁構造。
【請求項５】
請求項１から請求項４のいずれか一項に記載の複数階を有する建物内の壁構造を備えたことを特徴とする建物。
【発明の詳細な説明】
【技術分野】
【０００１】
本発明は、複数階を有する建物内の壁構造、およびそれを備えた建物に関する。
【背景技術】
【０００２】
近年、住宅資材の進歩により、高断熱性・高気密性に優れた住宅や遮音性に優れた住宅が提供されている。特許文献１には、高断熱性・高気密性に優れた住宅おける空調装置が開示されている。この特許文献１では、外壁に空洞を形成し、その空洞内に生成される上昇流により、室内の空気を吸引するとともに、外気を床下空間および間仕切り壁内に設けられた風洞部を介して室内に取り込み、室内の換気を行うようにしている。また、特許文献２には、高断熱性・高気密性に優れた住宅の外壁内には湿気が溜り易いため、これを除去して耐久性を高めるために、外気を取り込める通気路を備えた壁パネルが開示されている。
【０００３】
特許文献３には、上階の床部と下階との間に空間を設けるとともに、各階の壁体内にその空間に連通する内部空間を設け、上階の床衝撃音が階下へ伝搬し難くすることが開示されている。また、特許文献４には、間仕切りパネル内に通気性吸音フィルタを設けて、隣接する部屋同士の通気を図りながら遮音を図る技術が開示されている。
【先行技術文献】
【特許文献】
【０００４】
【特許文献１】特開平１０−６１０４４号公報
【特許文献２】特開２００４−１４３８７３号公報
【特許文献３】特開平１１−１５９０４３号公報
【特許文献４】特開２００２−１３０７８７号公報
【発明の概要】
【発明が解決しようとする課題】
【０００５】
ところで、近年、建物内に設けられている各部屋がほぼ一定の室内温度に保たれる室内環境を良好にした住宅が望まれている。このような、各部屋の室内温度に差が生じないようにするには、建物が高断熱性・高気密性に優れているだけでなく、建物内の空気を良好に循環させる必要がある。しかしながら、建物内の空気を循環させるためには、空気循環用のダクト等の特別な部材が必要となるため、このような部材を設置するためのスペースや設置にかかる費用が必要となる。
【０００６】
上記欠点を解決するために、従来の住宅資材を用いただけでは、建物内の空気循環を実現することができなかった。例えば、上述した特許文献１に開示されている壁内に風洞部が設けられている間仕切り壁や、特許文献２に開示されている通気路を備えた壁パネル、あるいは、特許文献３に開示されている内部空間を有する壁体や、特許文献４に開示されているような、内部に通気性吸音フィルタを収容できる間仕切りパネルをそのまま用いても、建物内の空気を循環させることはできなかった。
【０００７】
そこで、本発明は、上記欠点を解決するためになされたものであって、その目的は、特別な部材を必要とせず、簡単、かつ、安価に建物内の空気を循環させることのできる、複数階を有する建物内の壁構造、およびそれを備えた建物を提供することにある。
【課題を解決するための手段】
【０００８】
本発明に係る複数階を有する建物内に設けられる壁構造は、上記目的を達成するために、複数階を有する建物内の壁構造であって、流路を構成する間隙を形成して互いに対向して配置された一対の壁板を有する通気壁を備え、上下に位置するそれぞれの階に設けられた前記通気壁の前記流路が、床部を介して連通していることを特徴としている。
上記構成の壁構造では、流路は、一対の壁板の隙間を利用して形成されていて、ダクトなどの特別な部材を必要としないため、簡単、かつ、安価に建物内の空気を循環させることができる。
【０００９】
本発明に係る複数階を有する建物内に設けられる壁構造は、少なくとも一の階に設けられた前記通気壁は、前記一対の壁板の少なくとも一方に、当該一の階の空気を前記流路から排気する、または当該一の階へ前記流路から空気を給気するために前記流路と連通する給排気口が形成されていることを特徴とする。
上記構成の壁構造は、流路と連通する給排気口が設けられているため、建物内の空気の循環流を効率よく行うことができる。
【００１０】
本発明に係る複数階を有する建物内に設けられる壁構造は、通気壁の給排気口は、当該階の天井近傍に設けられていることを特徴としている。
上記構成の壁構造は、給排気口が当該階の天井近傍に設けられているため、温度差による空気の循環流を効率よく行うことができる。
【００１１】
本発明に係る複数階を有する建物内に設けられる壁構造は、最下層の階の通気壁の流路は、床下空間まで連通していることを特徴としている。
上記構成の壁構造は、流路が床下空間まで連通しているため、床下空間を利用して建物内の空気を循環させることができる。
【００１２】
本発明に係る建物は、上記目的を達成するために、上記いずれかの壁構造を備えたことを特徴としている。
上記構成の建物は、壁構造が空気の流れる流路を形成し、建物内の空気の循環流を生成することができるため、建物内に設けられる各部屋の室内温度の均一化を図ることができ、室内環境を良好に保つことができる。
【発明の効果】
【００１３】
本発明に係る壁構造は、流路は、一対の壁板の隙間を利用して形成されていて、ダクトなどの特別な部材を必要としないため、簡単、かつ、安価に建物内の空気を循環させることができる。
また、本発明に係る建物は、空気の流れる流路を有する壁構造を備えているため、建物内の空気の循環流を生成することができ、建物内に設けられる各部屋の室内温度の均一化を図ることが可能となる。このため、室内環境の良好な建物を実現することができる。
【図面の簡単な説明】
【００１４】
【図１】本発明の実施形態に係る複数階を有する建物内の壁構造を備えた建物の断面図である。
【図２】本発明の実施形態に係る壁構造の斜視図である。
【発明を実施するための形態】
【００１５】
以下、本発明の実施形態について図面を用いて説明する。なお、本発明は、この実施形態により限定されるものではなく、また、下記の実施形態における構成要素には、当業者が置換可能かつ容易なもの、あるいは実質的に同一ものも含まれている。
【００１６】
建物Ａは、図１に示されるように、二階建ての住宅として示されていて、周知の高断熱性・高気密性に優れた住宅と同様に、高断熱性・高気密性に優れた住宅に構成されている。この図１では、図面を簡略化するために、および説明を簡略化するために、階段等の設備は省略されている。
【００１７】
この建物Ａは、図１に示す鉛直断面において、一階１Ｆ（以下、一階を「１Ｆ」という。）には、二つの部屋Ｒ１１，Ｒ１２が設けられ、二階２Ｆ（以下、二階を「２Ｆ」という。）には、二つの部屋Ｒ２１，Ｒ２２が設けられている。
１Ｆの二つの部屋Ｒ１１，Ｒ１２の間、および２Ｆの二つの部屋Ｒ２１，Ｒ２２の間には、１Ｆ、２Ｆに上下方向に連続し、２Ｆの床部４を貫通する壁構造１０が設けられている。
【００１８】
１Ｆの床部３には、１Ｆの各部屋Ｒ１１，Ｒ１２に貫通する通気口５ａ，５ｂがそれぞれ設けられていて、各部屋Ｒ１１，Ｒ１２は、通気口５ａ，５ｂを介して１Ｆの床部３の下に形成されている床下空間６ａにそれぞれ連通されている。これら通気口５ａ，５ｂは、可能な限り壁構造１０から離れた位置にそれぞれ設けられている。図示の例では、建物Ａの外壁２０近くにそれぞれ設けられている。床下空間６ａ内には、その床下空間６ａ内の空気を必要に応じて強制的に流動させる送風機６ｂが設けられている。
【００１９】
２Ｆの各部屋Ｒ２１，Ｒ２２の床部４には、この床部４を貫通する通気口７ａ，７ｂがそれぞれ設けられていて、２Ｆの各部屋Ｒ２１，Ｒ２２は、通気口７ａ，７ｂを介して１Ｆの各部屋Ｒ１１，Ｒ１２とそれぞれ連通されている。これら通気口７ａ，７ｂも、１Ｆの通気口５ａ，５ｂと同様に、可能な限り壁構造１０から離れた位置にそれぞれ設けられている。図示の例では、建物Ａの外壁２０近くにそれぞれ設けられている。
【００２０】
なお、１Ｆの部屋Ｒ１１と２Ｆの部屋Ｒ２１間、および１Ｆの部屋Ｒ１２と２Ｆの部屋Ｒ２２間のいずれかまたは一方に、階段などの吹抜空間が設けられていて、上下の部屋が連通状態に保たれている場合は、上下の部屋が連通状態に保たれている部屋に対しては、通気口が設けられていなくてもよい。
【００２１】
建物Ａには、周知の住宅と同様に、建物Ａの下部側に、外気を室内に取り込むための外気取入口８ａが設けられているとともに、その上部側に、室内の空気を排出する排気口８ｂが設けられている。図示の例では、外気取入口８ａは、１Ｆの部屋Ｒ１２の床部３近くで開口し、排気口８ｂは、屋根部９の下側の２Ｆの部屋Ｒ２２の天井近くで開口している。これら外気取入口８ａおよび排気口８ｂは、周知の住宅と同様に、必要に応じて開閉される。
【００２２】
次に、図２を用いて壁構造１０について説明する。この図２に示される壁構造１０、本発明に係る壁構造の機能を説明するために模式的に示されている。なお、図１に示される壁構造１０は、この図２に示される壁構造１０をＸ−Ｘ線で断面した状態に相当している。そして、図２に示されるＬ１〜Ｌ４は、図１に示される建物Ａにおける壁構造１０の高さ位置関係を示している。すなわち、Ｌ１は１Ｆの床部３の上面レベルを示し、Ｌ２は１Ｆの天井レベルを示し、Ｌ３は２Ｆの床部４の上面レベルを示し、Ｌ４は２Ｆの天井レベルを示している。
なお、図１に示される壁構造１０は、この図２に示される壁構造１０をＸ−Ｘ線で断面した状態に相当しているため、後述する給排気口１５ａ，１５ｂについては示されないが、給排気口１５ａ，１５ｂが設けられている高さに相当する位置に、給排気口１５ａ，１５ｂの符号を記載している。
【００２３】
壁構造１０は、建物Ａ内に設けられる間仕切り壁に相当し、所定の間隔を保って立設される２本の柱１１ａ，１１ｂ、およびこれら柱１１ａ，１１ｂの相対する面側にそれぞれ張設された２枚の壁板１２ａ，１２ｂを含んで構成されている。そして、これら一対の壁板１２ａ，１２ｂ間には、柱１１ａ，１１ｂの太さに相当する間隙からなる空気が流通可能な流路１３が形成されている。この流路１３は、通気に利用されるため、壁構造１０は、通気壁を構成している。
また、本実施形態では、２本の柱１１ａ，１１ｂの間に、２本の柱１１ａ，１１ｂとそれぞれ間隔をあけて間柱１４が立設されていて、この間柱１４は、流路１３を第１流路１３ａ，第２流路１３ｂの２つに区分している。
【００２４】
柱１１ａ，１１ｂ、壁板１２ａ，１２ｂ、間柱１４は、少なくとも１Ｆの床部３から２Ｆの天井まで通された部材で構成されている。なお、これらの部材は、少なくとも１Ｆの床部３から２Ｆの天井まで通されていれば、上下方向や水平方向に複数の部材が隙間なく連結されている構成としてもよい。これらの部材は、壁板１２ａ，１２ｂの表面（室内面）に設けられたクロス等の仕上げ材によって各部屋Ｒ１１，Ｒ１２，Ｒ２１，Ｒ２２に露出しないように構成されている。
【００２５】
一対の壁板１２ａ，１２ｂには、１Ｆの部屋Ｒ１１，Ｒ１２ぞれぞれと第１流路１３ａとを連通させる給排気口１５ａ，１５ｂが設けられているとともに、２Ｆの部屋Ｒ２１，Ｒ２２それぞれと第２流路１３ｂとを連通させる給排気口１６ａ，１６ｂが設けられている。
【００２６】
給排気口１５ａ，１５ｂは、ルーバ式の開口からなり、このうち一方の給排気口１５ａは、１Ｆの一方の部屋Ｒ１１と第１流路１３ａとを連通させていて、１Ｆの一方の部屋Ｒ１１の天井近く設けられている、また、他方の給排気口１５ｂは、１Ｆの他方の部屋Ｒ１２と第１流路１３ａとを連通させていて、１Ｆの他方の部屋Ｒ１２の天井近く設けられている。
給排気口１６ａ，１６ｂは、ルーバ式の開口からなり、このうち一方の給排気口１６ａは、２Ｆの一方の部屋Ｒ２１と第２流路１３ｂとを連通させていて、２Ｆの一方の部屋Ｒ２１の天井近く設けられている。また、他方の給排気口１６ｂは、２Ｆの他方の部屋Ｒ２２と第２流路１３ｂとを連通させていて、２Ｆの他方の部屋Ｒ２２の天井近く設けられている。
【００２７】
上記構成からなる壁構造１０は、周知の住宅の間仕切り壁と同様に、建物Ａ内に設置されている。この際、壁構造１０の上端部側は、屋根部９の下面部材等の部材で閉止されていて、第１流路１３ａおよび第２流路１３ｂが屋根部９の空間（屋根裏）と連通しないように構成されている。また、壁構造１０の下端部側は、第１流路１３ａおよび第２流路１３ｂが閉止されないように設置されていて、第１流路１３ａおよび第２流路１３ｂが床下空間６ａと連通した状態に保たれている。
【００２８】
以下、上記構成からなる壁構造１０を設けた建物Ａ内の空気の循環について説明する。ここで、気候は暖房を必要とする時期とし、図示しない暖房器によって、あるいは南側に位置している側の部屋が太陽光により暖められて各部屋Ｒ１１，Ｒ１２、Ｒ２１，Ｒ２２内の上下で温度差が生じているものとする。
【００２９】
１Ｆの各部屋Ｒ１１，Ｒ１２は、通気口５ａ，５ｂと壁構造１０の給排気口１５ａ，１５ｂおよび第１流路１３ａを介して床下空間６ａにそれぞれ連通している。このため、建物Ａ内には、１Ｆの各部屋Ｒ１１，Ｒ１２の温かい空気の一部が、給排気口１５ａ，１５ｂに入り込み、その入り込んだ空気は、第１流路１３ａおよび床下空間６ａを通って再び通気口５ａ，５ｂを介して各部屋Ｒ１１，Ｒ１２に供給される形態の循環流が生成される。
図１および図２に示される矢印はその循環流を示している。この循環流により、１Ｆの各部屋Ｒ１１，Ｒ１２の室内温度は、各部屋で温度差のない良好な室内環境が得られる。
【００３０】
また、２Ｆの各部屋Ｒ２１，Ｒ２２は、通気口７ａ，７ｂを介して１Ｆの各部屋Ｒ１１，Ｒ１２とそれぞれ連通しているとともに、壁構造１０の給排気口１６ａ，１６ｂおよび第２流路１３ｂを介して床下空間６ａにそれぞれ連通している。このため、建物Ａ内には、１Ｆの各部屋Ｒ１１，Ｒ１２の温かい空気の一部が、通気口７ａ，７ｂを介して２Ｆの各部屋Ｒ２１，Ｒ２２にそれぞれ供給され、各部屋Ｒ２１，Ｒ２２にそれぞれ供給された空気は、各部屋Ｒ２１，Ｒ２２を温めて給排気口１６ａ，１６ｂに入り込み、その入り込んだ空気は、第２流路１３ｂおよび床下空間６ａを通って再び通気口５ａ，５ｂを介して各部屋Ｒ１１，Ｒ１２に供給される形態の循環流が生成される。
この循環流により、２Ｆの各部屋Ｒ２１，Ｒ２２の室内温度は、１Ｆも含めた各部屋と温度差のない良好な室内環境が得られる。
【００３１】
上述の循環流は、温度差のみによって発生させたが、暖房の運転開始時等において、各部屋Ｒ１１，Ｒ１２、Ｒ２１，Ｒ２２の室内温度を早急に所定の一定温度に高めようとするときは、床下空間６ａに設けられている送風機６ｂを運転させて、循環流量を強制的に高めるようにしてもよい。そして、各部屋Ｒ１１，Ｒ１２、Ｒ２１，Ｒ２２の室内温度が所定の一定温度に達したときには、送風機６ｂの運転を停止して温度差のみによる循環流としてもよい。
【００３２】
また、気候が冷房を必要とする時期の場合は、各部屋Ｒ１１，Ｒ１２、Ｒ２１，Ｒ２２の循環流は、上述した暖房時の循環流と反対向きとなる。すなわち、図１および図２に示される矢印の向きが逆方向となって、各部屋Ｒ１１，Ｒ１２、Ｒ２１，Ｒ２２の室内温度の均一化が図られる。なぜならば、温度の低い空気は重くなるため、空気は、通気口５ａ，５ｂ、７ａ，７ｂを介して下方に移動するからである。この逆向きの循環流により、各部屋Ｒ１１，Ｒ１２、Ｒ２１，Ｒ２２の室内温度は、温度差のない良好な室内環境が得られる。
【００３３】
この逆向きの循環流の際も、冷房の運転開始時等において、各部屋Ｒ１１，Ｒ１２、Ｒ２１，Ｒ２２の室内温度を早急に所定の一定温度に低下させようとするときは、床下空間６ａに設けられている送風機６ｂを運転させて、循環流量を強制的に高めるようにしてもよい。そして、各部屋Ｒ１１，Ｒ１２、Ｒ２１，Ｒ２２の室内温度が所定の一定温度に低下したときには、送風機６ｂの運転を停止して温度差のみによる循環流としてもよい。
【００３４】
次に、上述した実施形態による複数階を有する建物内の壁構造１０および壁構造１０を備える建物Ａの作用・効果について図面を用いて説明する。
上述した実施形態による壁構造１０によれば、第１流路１３ａおよび第２流路１３ｂは、一対の壁板１２ａ，１２ｂの隙間を利用して形成されていて、ダクトなどの特別な部材を必要としないため、簡単、かつ、安価に建物内の空気を循環させることができる。
また、建物Ａ内に設けられる各部屋Ｒ１１，Ｒ１２、Ｒ２１，Ｒ２２の空気を循環させることができるため、所定の一箇所に設けられている冷暖房機で建物Ａ全体を冷暖房することができる。したがって、冷暖房費を節減することができる。しかも、床下空間６ａを蓄熱層として利用することができるため、より冷暖房費を節減することができる。
【００３５】
以上、添付図面を参照しながら本発明の好適な実施形態について説明したが、本発明は、上述した実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００３６】
例えば、上述した実施形態では、空気循環に床下空間６ａを利用しているが、利用しなくてもよい。例えば、第１流路１３ａおよび第２流路１３ｂと床下空間６ａとを連通させずに、図２に鎖線で示されるような、１Ｆの部屋Ｒ１１，Ｒ１２と第１流路１３ａおよび第２流路１３ｂとを連通させる給排気口２０ａ〜２０ｄを、壁構造１０の１Ｆの部分に設けてもよい。
これらの給排気口２０ａ〜２０ｄについて説明すると、給排気口２０ａ〜２０ｄのうちの給排気口２０ａ，２０ｂは、１Ｆの給排気口１５ａ，１５ｂの下方で、第１流路１３ａと部屋Ｒ１１，Ｒ１２を連通させるように床部３の床面近くにおいて壁板１２ａ，１２ｂを開口している。また、給排気口２０ｃ，２０ｄは、２Ｆの給排気口１６ａ，１６ｂの下方で、第２流路１３ｂと部屋Ｒ１１，Ｒ１２を連通させるように床部３の床面近くにおいて壁板１２ａ，１２ｂを開口している。この場合は、壁構造１０の下端部側は、１Ｆの床部材等の部材で閉止されるとともに、１Ｆの各部屋Ｒ１１，Ｒ１２の床部３に設けられる通気口５ａ，５ｂは省略される。
【００３７】
そして、給排気口２０ａ〜２０ｄを設けた場合の空気の流れは、床下空間６ａを経由することなく各部屋Ｒ１１，Ｒ１２、Ｒ２１，Ｒ２２の空気の循環流が図られ、各部屋Ｒ１１，Ｒ１２、Ｒ２１，Ｒ２２に温度差のない良好な室内環境が得られる。
なお、建物Ａ内の空気の循環状態によっては、壁構造１０の下端部側を床下空間６ａに連通させつつ、さらに、給排気口２０ａ〜２０ｄを設けるようにしてもよい。
【００３８】
また、上述した実施形態では、給排気口１５ａ，１５ｂ，１６ａ，１６ｂは、天井近傍に設けられているが、各部屋の高さ方向の中間部や床部近傍など、天井近傍以外に設けられていてもよい。
また、上述した実施形態では、壁構造１０に間柱１４が設けられているが、設けられていなくてもよい。この場合、１つの流路１３が、１Ｆの部屋Ｒ１１，Ｒ１２の空気循環と、２Ｆの部屋Ｒ２１，Ｒ２２の空気循環に利用されてもよい。
【００３９】
また、上述した実施形態の建物Ａは、二階建てとしたが、三階以上であってもよい。この場合は、壁構造１０の高さは、その階にあった高さとされるとともに、各階に対応した給排気口が設けられる。また、上述の建物Ａは、各階に二部屋設ける構造としたが、例えば、１Ｆの部屋Ｒ１１および２Ｆの部屋Ｒ２１を分割してそれぞれ二部屋とすることができる。この場合は、上述した壁構造１０を用いて間仕切りされとともに、増設された各部屋の床部には、下方の床下空間６ａ又は下方の部屋に通じる通気口が設けられている。
【符号の説明】
【００４０】
Ａ  建物
Ｒ１１，Ｒ１２，Ｒ２１，Ｒ２２  部屋
１Ｆ  一階
２Ｆ  二階
３，４  床部
６ａ  床下空間
１０  壁構造
１１ａ，１１ｂ  柱
１２ａ，１２ｂ  壁板
１３  流路
１５ａ，１５ｂ，１６ａ，１６ｂ，２０ａ〜２０ｄ  給排気口
【図１】
2015218440.tif 000003
【図２】
2015218440.tif 000004